(57)【要約】      （修正有）【課題】ウォーターライトニードルプライベート包装を提供する。【解決手段】本体１と、手持ち部３と、プッシュレバー４とを備え、本体の一端には、第一の開口９が開設されており、本体の他端には、第二の開口１０が開設されており、第一の開口及び第二の開口は、いずれも本体の内腔８と連通されている。本体に第二の開口が開設された一端には、連結リング２が設けられており、連結リングの外径は、本体の外径よりも大きく、プッシュレバーの一端には、可撓性材料製のピストン５が固定接続されており、ピストンと本体の内腔は締り嵌められている。内腔内には、位置制限リング１１が固定接続されている。手持ち部には、溝が開設されており、溝の一側壁には、第一の切り欠きが開設されており、溝の他方の側壁には、第二の切り欠きが開設されており、第二の切り欠きは、第一の部分と第二の部分とを含み、第一の部分の口径は、第二の部分の口径よりも大きく、連結リングは溝内に嵌め込んでいる。【選択図】図１
0003234852.tif 000002
【実用新案登録請求の範囲】
【請求項１】
本体（１）と、手持ち部（３）と、プッシュレバー（４）とを備えるウォーターライトニードルプライベート包装であって、本体（１）の一端には、第一の開口（９）が開設されており、本体（１）の他端には、第二の開口（１０）が開設されており、第一の開口（９）及び第二の開口（１０）は、いずれも本体（１）の内腔（８）と連通されており、本体（１）に第二の開口（１０）が開設された一端には、連結リング（２）が設けられており、連結リング（２）の外径は、本体（１）の外径よりも大きく、プッシュレバー（４）の一端には、可撓性材料製のピストン（５）が固定接続されており、ピストン（５）と本体（１）の内腔（８）は締り嵌められており、内腔（８）内には、位置制限リング（１１）が固定接続されており、
手持ち部（３）には、溝（３１）が開設されており、溝（３１）の一側壁には、第一の切り欠き（３２）が開設されており、溝（３１）の他方の側壁には、第二の切り欠き（３３）が開設されており、第二の切り欠き（３３）は、第一の部分（３３１）と第二の部分（３３２）とを含み、第一の部分（３３１）の口径は、第二の部分（３３２）の口径よりも大きく、連結リング（２）は溝（３１）内に嵌め込んでおり、プッシュレバー（４）は、第一の部分（３３１）を通り、本体（１）は、第一の切り欠き（３２）を通る、ことを特徴とするウォーターライトニードルプライベート包装。
【請求項２】
前記本体（１）に前記第一の開口（９）が開設された一端には、蓋体（７）が取り付け取り外し可能に接続されている、ことを特徴とする請求項１に記載のウォーターライトニードルプライベート包装。
【請求項３】
前記プッシュレバー（４）の前記内腔（８）外部に向かって一端には、柄（６）が固定接続されており、柄（６）の外径は、プッシュレバー（４）の外径よりも大きい、ことを特徴とする請求項２に記載のウォーターライトニードルプライベート包装。
【請求項４】
前記プッシュレバー（４）の外径は、前記位置制限リング（１１）の内径よりも小さい、ことを特徴とする請求項３に記載のウォーターライトニードルプライベート包装。
【請求項５】
前記プッシュレバー（４）には、目盛り（４１）が設けられている、ことを特徴とする請求項４に記載のウォーターライトニードルプライベート包装。
【考案の詳細な説明】
【技術分野】
【０００１】
本考案は、ウォーターライトニードル関連装置技術分野に関し、具体的には、ウォーターライトニードルプライベート包装に関する。
【背景技術】
【０００２】
ウォーターライトニードルプライベート包装は、美容液を肌に注入して美容を行うことができ、現在、ウォーターライトニードルプライベート包装の使用便利性は向上する必要があり、しかも従来のウォーターライトニードルプライベート包装は取り付け取り外しが煩雑であるため、使用が便利で、取り付け取り外しが便利であるウォーターライトニードルプライベート包装を設計する必要がある。
【考案の概要】
【考案が解決しようとする課題】
【０００３】
上記技術問題に対して、本考案の目的は、ウォーターライトニードルプライベート包装を提供することである。上記技術問題を解決するために、本考案は、以下の技術案によって実現される。
【課題を解決するための手段】
【０００４】
本体と、手持ち部と、プッシュレバーとを備えるウォーターライトニードルプライベート包装であって、本体の一端には、第一の開口が開設されており、本体の他端には、第二の開口が開設されており、第一の開口及び第二の開口は、いずれも本体の内腔と連通されており、本体に第二の開口が開設された一端には、連結リングが設けられており、連結リングの外径は、本体の外径よりも大きく、プッシュレバーの一端には、可撓性材料製のピストンが固定接続されており、ピストンと本体の内腔は締り嵌められており、内腔内には、位置制限リングが固定接続されており、
手持ち部には、溝が開設されており、溝の一側壁には、第一の切り欠きが開設されており、溝の他方の側壁には、第二の切り欠きが開設されており、第二の切り欠きは、第一の部分と第二の部分とを含み、第一の部分の口径は、第二の部分の口径よりも大きく、連結リングは溝内に嵌め込んでおり、プッシュレバーは、第一の部分を通り、本体は、第一の切り欠きを通る。
【０００５】
有利なことに、前記本体に前記第一の開口が開設された一端には、蓋体が取り付け取り外し可能に接続されている。
【０００６】
有利なことに、前記プッシュレバーの前記内腔外部に向かって一端には、柄が固定接続されており、柄の外径は、プッシュレバーの外径よりも大きい。
【０００７】
有利なことに、前記プッシュレバーの外径は、前記位置制限リングの内径よりも小さい。
【０００８】
有利なことに、前記プッシュレバーには、目盛りが設けられている。
【考案の効果】
【０００９】
本考案の有益な効果は、以下のとおりである。
使用が簡単で、片手で液体の押出を完成することができるとともに、取り付け取り外しが便利で、前記プライベート包装を洗浄するときに、より便利になる。
【００１０】
以下、本考案について図面を用いてさらに説明するが、図面における実施例は、本考案に対するいかなる限定を構成しない。当業者であれば、創造的な労力を払わない前提で、以下の図面に基づいて他の図面を得ることができる。
【図面の簡単な説明】
【００１１】
【図１】本考案のウォーターライトニードルプライベート包装の構造概略図である。
【図２】本考案の図１の断面図である。
【図３】本考案の図１における手持ち部の左面図である。
【図４】本考案の手持ち部の立体図である。
【考案を実施するための形態】
【００１２】
以下は、本考案の実施例における添付図面を結び付けながら、本考案の実施例における技術案を明瞭且つ完全に記述する。明らかに、記述された実施例は、本考案の一部の実施例であり、全部の実施例ではない。本考案における実施例に基づき、当業者が創造的な労力を払わない前提で得られたすべての他の実施例は、いずれも本考案の保護範囲に属する。
【００１３】
本考案の説明において、説明すべきことは、「垂直」、「上」、「下」、「水平」などの用語が示す方位又は位置関係は、図面に示す方位又は位置関係に基づき、本考案を便利に且つ簡単に説明するためのものであり、指定された装置又は部品が特定の方位にあり、特定の方位において構造され操作されると指示又は暗示するものではないので、本考案を限定するものと理解してはいけない。また、「第一の」、「第二の」、「第三の」、「第四の」は、説明するためにのみ使用され、相対的重要性を指示又は暗示するものと理解してはいけない。
【００１４】
本考案の説明において、さらに説明すべきことは、明確に指定又は限定しない限り、「設置」、「取付」、「連結」、「接続」などの用語は、広義で理解すべきであり、例えば、固定して接続してもよく、取り付け取り外し可能に接続してもよく、又は一体に接続してもよく、機械的に接続してもよく、或いは、電気的に接続してもよく、直接接続してもよく、中間媒体を介して間接的に接続してもよく、２つの要素の内部が連通してもよい。当業者であれば、具体的な状況に応じて上記用語の本考案における具体的な意味を理解し得る。
【００１５】
図１〜図４に示すように、本体１と、手持ち部３と、プッシュレバー４とを備えるウォーターライトニードルプライベート包装であって、本体１の一端には、第一の開口９が開設されており、本体１の他端には、第二の開口１０が開設されており、第一の開口９及び第二の開口１０は、いずれも本体１の内腔８と連通されており、本体１に第二の開口１０が開設された一端には、連結リング２が設けられており、連結リング２の外径は、本体１の外径よりも大きく、プッシュレバー４の一端には、可撓性材料製のピストン５が固定接続されており、ピストン５と本体１の内腔８は締り嵌められており、内腔８内には、位置制限リング１１が固定接続されており、
手持ち部３には、溝３１が開設されており、溝３１の一側壁には、第一の切り欠き３２が開設されており、溝３１の他方の側壁には、第二の切り欠き３３が開設されており、第二の切り欠き３３は、第一の部分３３１と第二の部分３３２とを含み、第一の部分３３１の口径は、第二の部分３３２の口径よりも大きく、連結リング２は溝３１内に嵌め込んでおり、プッシュレバー４は、第一の部分３３１を通り、本体１は、第一の切り欠き３２を通る。
【００１６】
本考案の一つの選択的な実施の形態によれば、前記本体１に前記第一の開口９が開設された一端には、蓋体７が取り付け取り外し可能に接続されている。
【００１７】
本考案の一つの選択的な実施の形態によれば、前記プッシュレバー４の前記内腔８外部に向かって一端には、柄６が固定接続されており、柄６の外径は、プッシュレバー４の外径よりも大きい。
【００１８】
本考案の一つの選択的な実施の形態によれば、前記プッシュレバー４の外径は、前記位置制限リング１１の内径よりも小さい。
【００１９】
本考案の一つの選択的な実施の形態によれば、前記プッシュレバー４には、目盛り４１が設けられている。
【００２０】
実施プロセス：液体を主体１の内腔８内に保存し、人差し指と中指は、手持ち３に当接し、柄６を押し、プッシュレバー４とピストン５を移動させ、ピストン５により液体を推進して第一の開口９から肌に塗布し、プッシュレバー４上の目盛り４１は、操作者が押出液体の数を判断することを補助することができる。
【００２１】
位置制限リング１１は、プッシュレバー４が内腔８から滑り出すことを防止するために、プッシュレバー４に対して位置制限を行うことができる。
【００２２】
ピストン５は可撓性材料で作られているため、プッシュレバー４を取り付け取り外しする必要がある場合、ピストン５を少し強く力で位置制限リング１１に通過させればよい。
【００２３】
手持ち部３は、本体１の連結リング２に直接取り付け取り外し可能であり、手持ち部３の交換や洗浄消毒を容易にする。
【００２４】
本考案のすべての部品は、プラスチック制のものを選択してもよく、プラスチックの重量が軽く、且つ硬度が小さく、可撓性が高く、操作者が本考案を手で持った時の快適度が高く、体験者の肌が本体１に接触した時の快適度が高い。
【００２５】
本考案は、使用が簡単で、片手で液体の押出を完成することができるとともに、取り付け取り外しが便利で、前記プライベート包装を洗浄するときに、より便利になる。
【００２６】
最後に、説明すべきことは、上記の実施例は、本考案の技術案を説明するためにのみ使用され、本考案の保護範囲を限定するものではない。好ましい実施例を参照して本考案を詳細に説明したが、当業者は、本考案の技術案の実質と範囲から逸脱することなく、本考案の技術案を修正又は同等に置き換えることができることを理解するであろう。
【符号の説明】
【００２７】
１、本体
２、連結リング
３、手持ち部
３１、溝
３２、第一の切り欠き
３３、第二の切り欠き
３３１、第一の部分
３３２、第二の部分
４、プッシュレバー
４１、目盛り
５、ピストン
６、柄
７、蓋体
８、内腔
９、第一の開口
１０、第二の開口
１１、位置制限リング
【図１】
0003234852.tif 000003
【図２】
0003234852.tif 000004
【図３】
0003234852.tif 000005
【図４】
0003234852.tif 000006